(57)【要約】【課題】伸縮式筆記具において、サイドノック部材で伸長操作でき、かつ短縮させた際、芯先端が突出しないようにする。【解決手段】前部軸筒（１）の後方に、軸後方向に移動可能に後部軸筒（２）を嵌着する。上記前部軸筒（１）内に、ノックレバー（２１）を軸径方向に押圧して芯を繰り出すサイドノック式の芯繰出機構を設ける。上記後部軸筒（２）とノックレバー（２１）に設けた係合部（２９）、（３０）は、後部軸筒（２）を前進させて全長を短縮したとき係合し、このとき、チャックは非筆記位置に位置しており、芯先端を軸筒内に没入できる。この係合部（２９）、（３０）の係合は、ノックレバー（２１）を押圧したとき係合が外れ、その結果、後部軸筒（２）は後退し、全長が伸長し、チャックは筆記位置に移動する。【選択図】図２
2008179015.tif 000002
【特許請求の範囲】
【請求項１】
軸筒の側面に軸径方向に移動可能に設けたサイドノック部材を押圧して芯を把持するチャックを前進させ芯を繰り出したりサイドノック部材を開放して上記チャックを筆記位置まで後退させて筆記可能としたサイドノック式芯繰出機構と、該サイドノック式芯繰出機構を内部に設けた前部軸筒と、該前部軸筒の後方に軸方向に移動可能に嵌着した後部軸筒と、該前部軸筒と後部軸筒間に設けられ該後部軸筒を後方に付勢するばねと、上記後部軸筒を前方へ移動した際上記サイドノック部材に該後部軸筒が係合するよう該サイドノック部材と後部軸筒に形成した係合部を具備し、該係合部は上記サイドノック部材を軸径方向に押圧した際係合が外れて後部軸筒が伸長位置まで後方へ移動するよう係脱可能に設けられ、上記サイドノック式芯繰出機構のチャックは上記係合部が係合した状態で筆記位置の前方の非筆記位置に保持されていることを特徴とする伸縮式筆記具。
【請求項２】
上記サイドノック部材は、一端を前部軸筒に揺動可能に固定したノックレバーであり、上記係合部は該ノックレバーに突設した係合爪と後部軸筒に形成した係合孔である請求項１に記載の伸縮式筆記具。
【請求項３】
上記前部軸筒の外面に段部を設け、伸長位置まで後部軸筒が後退したとき該段部に当接するよう後部軸筒にストッパー爪を設けた請求項１に記載の伸縮式筆記具。
【請求項４】
上記サイドノック式芯繰出機構のチャックはチャック駒の先端に設けられ、上記サイドノック部材は該チャック駒を軸方向に移動するよう連結され、該サイドノック部材と後部軸筒の係合部が係合したとき該サイドノック部材は上記チャックを非筆記位置に位置させるよう上記チャック駒を押圧している請求項１に記載の伸縮式筆記具。
【請求項５】
上記後部軸筒は軸方向に延びる内筒を有し、該後部軸筒を前方に移動したとき該内筒は上記チャック若しくはチャック駒に当たって上記チャックを非筆記位置へ移動させることを特徴とする請求項１または請求項４に記載の伸縮式筆記具。
【発明の詳細な説明】
【技術分野】
【０００１】
本発明は、シャープペンシル等の繰出式筆記具に関し、特に軸筒の長さを伸縮できるようにした伸縮式筆記具に関するものである。
【背景技術】
【０００２】
不使用時や携行時に軸筒の長さを短くし、筆記時に長く延ばして使用できるようにした伸縮式筆記具が知られているが、公知の筆記具では、軸筒を短縮した状態から伸長させる際に、専用の解除ボタン等を用いて操作するよう構成されているので、構成が複雑になり、経済的に得にくい（例えば、特許文献１参照）。また、軸筒を短縮した状態では芯先端が突出したままなので、携行時にポケット等にひっかかったり、手指等を傷つけるおそれがあった。
【特許文献１】特開２００１−１８５７８号公報（請求項４、図３、図４）
【発明の開示】
【発明が解決しようとする課題】
【０００３】
本発明の解決課題は、軸筒の短縮状態を解除するために特別の解除ボタン等を設けることなく、芯を繰り出すための通常のサイドノック部材等を用いて操作でき、かつ軸筒を短縮した際に芯先端を容易に軸筒内に没入できるようにした伸縮式筆記具を提供することである。
【課題を解決するための手段】
【０００４】
本発明によれば、軸筒の側面に軸径方向に移動可能に設けたサイドノック部材を押圧して芯を把持するチャックを前進させ芯を繰り出したりサイドノック部材を開放して上記チャックを筆記位置まで後退させて筆記可能としたサイドノック式芯繰出機構と、該サイドノック式芯繰出し機構を内部に設けた前部軸筒と、該前部軸筒の後方に軸方向に移動可能に嵌着した後部軸筒と、該前部軸筒と後部軸筒間に設けられ該後部軸筒を後方に付勢するばねと、上記後部軸筒を前方へ移動した際上記サイドノック部材に該後部軸筒が係合するよう該サイドノック部材と後部軸筒に形成した係合部を具備し、該係合部は上記サイドノック部材を軸径方向に押圧した際係合が外れて後部軸筒が伸長位置まで後方に移動するよう係脱可能に設けられ、上記サイドノック式芯繰出機構のチャックは上記係合部が係合した状態で筆記位置の前方の非筆記位置に保持されていることを特徴とする伸縮式筆記具が提供され、上記課題が解決される。
なお、本発明において、「筆記位置」とは、チャックが十分に後退して外周に嵌着したクラッチにより締着され、筆記しても芯先端が没入しないように芯を確実に把持して筆記可能であるチャックの位置をいい「非筆記位置」とは、上記筆記位置より前方にチャックが位置していてクラッチが該チャックを完全に締着しておらず、芯先端を押圧すると芯先端は後退可能であるチャックの位置である。
【発明の効果】
【０００５】
本発明は、上記のように構成されているので、全長が伸長している際は、チャックは筆記位置まで後退しているからサイドノック部材を押圧すれば、通常のように芯を繰り出して筆記すことができ、不使用時や携行時には後部軸筒を前方に移動させると、上記サイドノック部材に設けた係合部と後部軸筒に設けた係合部が係合するので、該後部軸筒をその状態に保持して全長を短縮することができる。そして、使用に際して、上記のようにサイドノック部材を押圧すれば、芯を繰り出すことができると共に後部軸筒との係合が外れて該後部軸筒は後方に移動し全長を長くすることができ、使いやすい。このように、本発明によれば、特別の解除ボタン等を設ける必要がなく、サイドノック部材で兼用することができるので、構成が簡単で操作が容易であり、経済的に得ることができる。
【０００６】
また、上記サイドノック部材と後部軸筒に設けた係合部が係合した状態(短縮状態)で、上記サイドノック式芯繰出機構のチャックは、筆記位置の前方の非筆記位置に保持されているから、チャックはクラッチで締着されておらず、芯は把持されていないから、芯先端を軸筒内に押し込み可能であり、携行時には該先端を簡単に引っ込めることができる。本発明よれば、軸筒を短縮したとき上記チャックが筆記位置まで後退しないようチャックに連結したチャック駒をサイドノック部材で少し前方に押圧してチャックを非筆記位置に移動したり、後部軸筒内に軸方向に延びる内筒を設けてチャックやチャック駒の後退を妨げてチャックを非筆記位置に移動させるように構成したので、極めて簡単な構造で制御することができ、特に上記内筒とサイドノック部材を併用してチャックを非筆記位置に移動するようにすれば、サイドノック部材が使用によりへたりを生じたときでも確実にチャックの後退を阻止することができ、長期にわたって使用することができる。
【発明を実施するための最良の形態】
【０００７】
図１〜図４は、本発明の伸縮式筆記具の一実施例を示し、前部軸筒（１）の後部には、後部軸筒（２）が軸方向に移動可能に嵌着され、該後部軸筒（２）は、前部軸筒（１）の後端と後部軸筒（２）の内方端間に設けたばね（３）により後方に付勢されている。
【０００８】
上記前部軸筒（１）内には、軸径方向に移動可能に設けたサイドノック部材により芯を繰り出したり、サイドノック部材を開放してチャックを筆記位置まで後退させるようにしたサイドノック式芯繰出機構が設けられている。該サイドノック式芯繰出機構としては、種々の構成が知られており、各種態様の機構を採用することができるが、図に示す実施例では、特許第３３６４７９９号公報に記載の如き機構を用いている。詳述すると、前部軸筒（１）は、先口（４）を有する前方外本体（５）と該前方外本体（５）内に挿入固定される前方内本体（６）を具備し、該前方外本体（５）の外面には、二色成形等により一体的に若しくは別体に軟質材料で作られたグリップ（７）が設けられ、内部先端には、芯を弾性的に保持するスライダー（８）が軸方向に移動可能に設けられている。なお、公知のように、弾性ゴム等の芯保持部材を先端に固定的に設けてもよい。
【０００９】
上記前方内本体（６）は、図５に示すように、上記前方外本体内に回り止め状態で挿入固定できる外形に形成され、内部にチャック駒（９）を軸方向に移動可能に収納し、チャックばね（１０）で該チャック駒を後方に付勢してある。該チャック駒（９）の先部にはクラッチ（１１）を外周に嵌着したチャック（１２）が固定され、上記チャック駒（９）およびチャック(１２)を前進してクラッチ(１１)を軸方向に移動させることにより、公知のように芯を繰り出すことができる。なお、上記チャックとチャック駒は一体的に形成してもよい。また、該前方内本体(６)の前端小径部には上記クラッチ(１１)の外周が摺接するリブ(１３)と、チャックが筆記位置に至ったとき上記クラッチ(１１)の後端が当接して上記チャック(１２)を締着するよう内方フランジ(１４)が形成されている。該内方フランジ(１４)に換えて、公知のようにクラッチ(１１)の前端に形成したフランジが前方内本体の先端に当たったときにチャックを締着して筆記位置になるように構成してもよい。
【００１０】
図に示す実施例では、該チャック駒（９）は、図６に示すように芯挿通孔(１５)を有するチャック駒本体(１６)の前方および後方に前部内本体内で回転しないような断面形状に形成された前部壁(１７)と後部壁(１８)を有し、該前部壁はコーナー部を形成するように略Ｌ字状に設けられている。上記前部壁（１７）のコーナー部には側面略く字状のリンク爪（１９）の一端が当接され、該リンク爪（１９）の他端は上記サイドノック部材（２０）に連結しており、該サイドノック部材を軸径方向に押圧して上記チャック駒(９)を前進させるよう構成されている。なお、該リンク爪(１９)はサイドノック部材(２０)と別体に作って端部を当接させるようにしてもよい。
【００１１】
上記サイドノック部材（２０）の移動構造としては、例えば軸筒の側面に突出する押ボタンを設けて全体が軸径方向に移動するようにしたり、その他の適宜の構造にすることができるが、図に示す実施例では、揺動可能なノックレバー(２１)を設けてサイドノック部材としてある。該ノックレバー(２１)は、図７に示すように、上記前方内本体（６）の開口（２２）に対応した形状に形成され、該ノックレバー（２１）の基端を上記開口（２２）内に挿入した際、該開口（２２）の内縁に係合するよう係合爪(２３)を該基端に形成してあり、これにより該ノックレバー(２１)の前端を揺動できるよう前方内本体に固定している。なお、該ノックレバー（２１）の基端の後方裏面には小突起(２４)を突設してあり、該小突起(２４)は上記前方内本体(６)の開口(２２)の端部に設けた嵌合孔(２５)に装着時に嵌着する。
【００１２】
また、上記ノックレバー（２１）の側面下方には抜け止め突起（２６）があり、前端には上記リンク爪（１９）と連絡する作用縁（２７）を形成し、上面には前部軸筒（１）の外面に突出するよう押圧面（２８）を形成してある。該押圧面（２８）と基端の間には、係合部（２９）を設けてあり、該係合部（２９）には、後記するように後部軸筒（２）の係合部（３０）が係合する。この係合部の構造は、軸筒の全長を短縮した状態で、上記ノックレバー（２１）を軸径方向に押圧したとき係合が外れて軸筒は伸長状態となり、伸長状態から後部軸筒（２）を前方へ移動して全長を短縮したとき係合するよう係脱可能な適宜の構造に形成される。図に示す実施例では、上記ノックレバー（２１）の係合部（２９）は、図８に示すように前方が高く後方が低くなるように傾斜する係合爪であり、上記後部軸筒（２）の係合部（３０）は係合孔であるが、係合爪を後部軸筒（２）側に設け、係合孔をノックレバー（２１）側に設けてもよい。そして本発明においては、上記のように上記ノックレバー(２１)の係合部(２９)と後部軸筒(２)の係合部(３０)が係合したとき、上記チャック駒(９)は該ノックレバー(２１)により上記チャック(１２)が非筆記位置に存するよう筆記位置より少し前方に押圧され、クラッチ(１１)の後端と内方フランジ(１４)の間には隙間（Ｓ)があって芯は把持されていない(図２参照)。
【００１３】
後部軸筒（２）は、後端に接続筒（３１）を有する後方外本体（３２）(図９参照)と、該後方外本体（３２）に挿入され上記接続筒（３１）の端縁に係合する係合縁（３３）を有する後方内本体（３４）(図１０参照)を具備する。該後方内本体（３４）には、図１０に示すように上記係合部（係合孔）（３０）が形成され、また略Ｕ字状の切欠（３５）を設けて先端（３６）を自由端としたストッパー爪（３７）が形成されている。該ストッパー爪（３７）の該先端（３６）には凸部が形成され、上記後方外本体（３２）に後方内本体（３４）を挿入したとき、該凸部が後方外本体（３２）の内面に押圧されて上記先端（３６）が後方内本体（３４）の内方に弾性的に突出する。該後方内本体（３４）の内方には軸方向に延びる内筒（３８）が形成され、後端には消ゴム（３９）が装着され、上記後方外本体（３２）には消ゴムカバー（４０）が嵌着されている。上記内筒(３８)は後部軸筒(２)を前方に移動させた際、その先端が上記チャック駒(９)の後端に当たって、該チャック駒(９)を前進させ、上記クラッチ（１１）の後端が内方フランジ（１４）から離れ、上記チャック(１２)を筆記位置より少し前方の非筆記位置に移動できるような長さに形成してある。
【００１４】
上記前部軸筒（１）の前方内本体（６）の外面には、上記ストッパー爪（３７）の先端（３６）が摺動する溝（４１）が形成され、該溝（４１）の後部には上記ストッパー爪（３７）が当接する段部（４２）が形成されている(図１１参照)。なお、上記溝（４１）の後方にはガイド溝（４３）を設けてあり、上記後部軸筒（２）の後方内本体（３４）の内面には、該ガイド溝（４３）に摺動可能に係合するようガイド突起（４４）を突設してある。
【００１５】
上記の構成により、後部軸筒（２）を前方へ移動させると、図２に示すように、該後部軸筒の係合部（３０）がノックレバー（２１）の係合部（２９）に係合し、該後部軸筒（２）は前進位置に保持され、全長が短縮される(図１)。この状態で、上記ノックレバー(サイドノック部材)はチャックを筆記位置より少し前方の非筆記位置に押圧しており、また上記後部軸筒(２)の上記内筒(３８)によっても上記チャックは筆記位置より少し前方の該非筆記位置に移動されており、芯は把持されていないから、芯先端やスライダー(８)を簡単に軸筒内に押し込むことができる。
【００１６】
使用に際して、上記ノックレバー（２１）を軸径方向に押圧すると、上記係合部（２９）、（３０）の係合が外れ、後部軸筒（２）は、ばね（３）により後退し、全長が伸長される(図３、図４)。この伸長位置は、図１１に示すように、上記ストッパー爪（３７）と段部（４２）で規制される。また、軸筒が伸長されると、上記ノックレバー（２１）はチャック駒（９）の後退を許容し、上記内筒(３８)は上記チャック駒(９)の押圧を開放するから、上記チャックは筆記位置まで後退可能となる。したがって、上記ノックレバー（２１）をノックすれば、前部軸筒（１）の先端から芯が繰り出され、ノックを止めれば上記チャックは筆記位置まで後退して上記クラッチ(１１)の後端は内方フランジ(１４)に当たって該チャックを充分に締着し、芯は後退いないから、筆記することができる。再度、全長を短縮させる際は、上述のように後部軸筒（２）を前方へ移動させればよい。
【図面の簡単な説明】
【００１７】
【図１】本発明の一実施例を示し、全長を短縮した状態の平面図。
【図２】図１の断面図。
【図３】全長を伸長した状態の正面図。
【図４】図３の断面図
【図５】前部軸筒の前方内本体を示し、（Ａ）は平面図、（Ｂ）は正面図、（Ｃ）は断面図、(Ｄ)は左側面図、(Ｅ)は右側面図。
【図６】チャック駒を示し、(Ａ)は平面図、(Ｂ)正面図、(Ｃ)は断面図、(Ｄ)は右側面図、(Ｅ)は(Ｂ)図のＥ―Ｅ線断面図。
【図７】ノックレバーを示し、（Ａ）は平面図、（Ｂ）は正面図、（Ｃ）は底面図、(Ｄ)は断面図。
【図８】ノックレバーと後部軸筒の係合部の係合状態を示す説明図。
【図９】後部軸筒の後方外本体を示し、（Ａは平面図、(Ｂ)は正面図、(Ｃ)は断面図、(Ｄ)は(Ｃ)図のＤ−Ｄ線断面図。
【図１０】後部軸筒の後方内本体を示し、(Ａ)は平面図、(Ｂ)は正面図、(Ｃ)は断面図、以下(Ｃ)図における断面図を示し、(Ｄ)はＤ−Ｄ線断面図、(Ｅ)はＥ−Ｅ線断面図、(Ｆ)はF−Ｆ線断面図、(Ｇ)はＧ−Ｇ線断面図。
【図１１】前部軸筒の前方内本体の溝と後部軸筒のストッパー爪の関係を示す説明図。
【符号の説明】
【００１８】
１    前部軸筒
２    後部軸筒
５    前方外本体
６    前方内本体
２０    サイドノック部材
２１    ノックレバー
２９    係合部
３０    係合部
３２    後方外本体
３４    後方内本体
３７    ストッパー爪
【図１】
2008179015.tif 000003
【図２】
2008179015.tif 000004
【図３】
2008179015.tif 000005
【図４】
2008179015.tif 000006
【図５】
2008179015.tif 000007
【図６】
2008179015.tif 000008
【図７】
2008179015.tif 000009
【図８】
2008179015.tif 000010
【図９】
2008179015.tif 000011
【図１０】
2008179015.tif 000012
【図１１】
2008179015.tif 000013